(57)【要約】【課題】  スライドショーにおいて、画像と画像の区切りを識別可能とする。【解決手段】  画像を再生し、所定の間隔で表示するスライドショー機能を有する装置において、前記画像を表示する画像表示手段と、前記画像の表示を前記所定の間隔に応じた期間保持する保持手段と、前記再生された画像に対して特殊効果を行う画像加工手段とを有し、前記画像表示手段にて表示する画像を切り替える際に画像加工手段により前記画像に対して前記特殊効果処理を施す。【選択図】        図１
2005167689.tif 000002
【特許請求の範囲】
【請求項１】
画像を再生し、所定の間隔で表示するスライドショー機能を有する装置において、
前記画像を表示する画像表示手段と、
前記画像の表示を前記所定の間隔に応じた期間保持する保持手段と、
前記再生された画像に対して特殊効果を行う画像加工手段とを有し、
前記画像表示手段にて表示する画像を切り替える際に画像加工手段により前記画像に対して前記特殊効果処理を施すことを特徴とする画像再生装置。
【請求項２】
前記画像加工手段により施す特殊効果を選択する選択手段を備えたことを特徴とする請求項１記載の画像再生装置。
【請求項３】
前記特殊効果はフェード効果、ワイプ効果およびオーバーラップ効果を含むことを特徴とする請求項１または２記載の画像再生装置。
【請求項４】
前記画像の表示開始および終了時の効果を選択できることを特徴とする請求項２記載の画像再生装置。
【請求項５】
前記画像として動画像を表示する場合、前記画像加工手段は画像の切り替え時にフェード効果を施すことを特徴とする請求項２記載の画像再生装置。
【請求項６】
前記画像として動画像を再生する場合、前記動画像の一部または全部の再生を選択可能としたことを特徴とする請求項１または２記載の画像再生装置。
【請求項７】
前記画像として動画像を再生する場合、画像再生時間が特殊効果動作を行う時間よりも短いとき、特殊効果を施さないことを特徴とする請求項１記載の画像再生装置。
【発明の詳細な説明】
【技術分野】
【０００１】
本発明は、動画および静止画を記録媒体に記録することが可能なデジタルカメラ、あるいはカメラ一体型ＶＴＲ（ビデオカメラ）等の画像再生装置に関するものである。
【背景技術】
【０００２】
従来、特許文献１に記載の様に、記録媒体に記録されている静止画像の閲覧方法として、画像を表示中に、画像送りや画像戻し、複数の画像データを一画面中に複数表示させるインデックス表示、また記録されている画像を順次表示していくスライドショー機能がある。
【０００３】
これらの機能の中でスライドショーにおいては、記録媒体に記録されている画像データを一定時間表示し、次に表示する画像データがあればその画像データの表示を一定時間表示するといった処理を繰り返すという方法が取られている。
【０００４】
動画像データのスライドショーにおいて、動画像の再生を行い、全てのデータを再生後、次に再生する動画像データがあればその動画像の表示を行うものや、一つの動画像データを一定時間表示し、それを繰り返す方法がある。
【特許文献１】特開２００３−２０９８０９号公報
【発明の開示】
【発明が解決しようとする課題】
【０００５】
しかし上記の動画像データのスライドショーでは、画像と画像の区切りを識別することが分かりにくいという問題がある。
【０００６】
よって、本発明の目的は上述の問題点を解決する画像データのスライドショーを実現する方法を提供することである。
【課題を解決するための手段】
【０００７】
上記課題を解決するため、本出願に係わる発明は、動画像データおよび（または）静止画データを再生可能な画像再生装置におけるスライドショー実行時において、複数の動画像データおよび静止画像データの表示切り替えを行う際にフェード等の特殊効果を行う構成とした。
【０００８】
すなわち、本発明の技術内容は以下の構成を備えることにより前記課題を解決できた。
【０００９】
（１）画像を再生し、所定の間隔で表示するスライドショー機能を有する装置において、前記画像を表示する画像表示手段と、前記画像の表示を前記所定の間隔に応じた期間保持する保持手段と、前記再生された画像に対して特殊効果を行う画像加工手段とを有し、前記画像表示手段にて表示する画像を切り替える際に画像加工手段により前記画像に対して前記特殊効果処理を施すことを特徴とする画像再生装置。
【００１０】
（２）前記画像加工手段により施す特殊効果を選択する選択手段を備えたことを特徴とする前記（１）記載の画像再生装置。
【００１１】
（３）前記特殊効果はフェード効果、ワイプ効果およびオーバーラップ効果を含むことを特徴とする前記（１）または（２）記載の画像再生装置。
【００１２】
（４）前記画像の表示開始および終了時の効果を選択できることを特徴とする前記（２）記載の画像再生装置。
【００１３】
（５）前記画像として動画像を表示する場合、前記画像加工手段は画像の切り替え時にフェード効果を施すことを特徴とする前記（２）記載の画像再生装置。
【００１４】
（６）前記画像として動画像を再生する場合、前記動画像の一部または全部の再生を選択可能としたことを特徴とする前記（１）または（２）記載の画像再生装置。
【００１５】
（７）前記画像として動画像を再生する場合、画像再生時間が特殊効果動作を行う時間よりも短いとき、特殊効果を施さないことを特徴とする前記（１）記載の画像再生装置。
【発明の効果】
【００１６】
静止画および動画データのスライドショーにおいて、画像更新時に特殊効果を施すことにより、画像の切り替わりがわかりやすくなるという効果がある。
【発明を実施するための最良の形態】
【００１７】
以下本発明を実施するための最良の形態を、実施例により詳しく説明する。
【実施例１】
【００１８】
図１は本発明の特徴を最もよく表す図面であり、同図に於いて、１は動画データを記憶するところの脱着式半導体メモリ、ディスクメモリ等の外部メモリ、２は外部メモリ１のデータの読み出し制御を行うところの外部メモリ制御部、３は再生装置のシステム全体を制御するシステム制御部、４は再生装置を操作者が操作するための操作部、５は外部メモリ制御部２からの動画データを映像信号出力部７及び、ビューファインダー６に映像信号出力を行う再生信号処理部、６は動画データ再生信号を表示するビューファインダー部、７は動画データ再生信号を出力する映像信号出力部である。
【００１９】
次に上記構成において、操作者が操作部４にてスライドショー操作を行うとシステム制御部３は、外部メモリ１の動画像データを読み出す制御を行う。システム制御部３は動画像データ再生時間がフェード動作を行う時間より短い場合は、フェード操作を無効とする。動画像データ再生時間がフェード動作を行う時間より長い場合は、フェードアウト操作を有効とし、システム制御部３は再生信号処理５に対してフェード制御を行わせるとともに、メモリ制御部２に外部メモリ１に記憶された動画再生を行わせる。
【００２０】
この表示方法を図５に示す。
【００２１】
フェード動作を行う時間ｓよりも動画再生時間ｕの長い動画像１では、動画像再生終了時にフェード操作を行う。また、フェード動作を行う時間ｓよりも動画再生時間ｕの短い動画像３では、フェード操作を行わない。
【００２２】
図２は実施例１の動作を示すフローチャート図である。
【００２３】
（ステップ１）
動画像データの再生時間がフェード効果の所要時間以上あるか判別する。
【００２４】
（ステップ２）
動画像データを再生する。
【００２５】
（ステップ３）
フェードアウト処理を行う。
【００２６】
（ステップ４）
動画像データの再生を停止する。
【００２７】
（ステップ５）
再生した画像データがスライドショー表示する最後の画像であるか判別する。
【００２８】
（ステップ６）
動画像データを再生。
【００２９】
（ステップ７）
次に表示する動画像を選択する。
【実施例２】
【００３０】
スライドショー実行時に操作者により特殊効果の有効、無効の切り替え操作、特殊効果の選択を行う動作について次に説明する。
【００３１】
操作者が、操作部４にてスライドショー操作、特殊効果の有無、フェード、ワイプ等の特殊効果を選択操作するとシステム制御部３は、脱着式半導体メモリ、ディスクメモリ等の外部メモリ１の動画像データを読み出す制御を行い、特殊効果ありならばスライドショー実行時に特殊効果を有効に、特殊効果なしならばスライドショー実行時に特殊効果を無効にする。また、特殊効果選択時にフェードを選択の場合、スライドショー実行時に動画像に対してフェード処理を、特殊効果選択時にワイプを選択の場合、スライドショー実行時に動画像に対してワイプ処理を施す。システム制御部３は図５に示すように動画再生時間ｕが特殊効果を行う時間ｓより短い場合は、特殊効果を無効とする。動画像データ再生時間が特殊効果を行う時間より長い場合は、特殊効果を有効とし、システム制御部３は再生信号処理５に対して特殊効果を行わせるとともに、メモリ制御部２に外部メモリ１に記憶された動画再生を行わせる。
【００３２】
図３は実施例２の動作を示すフローチャート図である。
【００３３】
（ステップ２１）
特殊効果を行うか判別。
【００３４】
（ステップ２２）
動画像データの再生時間が特殊効果の所要時間以上あるか判別する。
【００３５】
（ステップ２３）
特殊効果の種類を判別。
【００３６】
（ステップ２４）
動画像データの再生を開始する。
【００３７】
（ステップ２５）
フェードアウト処理を行う。
【００３８】
（ステップ２６）
動画像データの再生を停止する。
【００３９】
（ステップ２７）
動画像データの再生を開始する。
【００４０】
（ステップ２８）
ワイプ処理を行う。
【００４１】
（ステップ２９）
動画像データの再生を停止する。
【００４２】
（ステップ３０）
動画像データを再生。
【００４３】
（ステップ３１）
再生した画像データがスライドショー表示する最後の画像であるか判別する。
【００４４】
（ステップ３２）
次に表示する動画像を選択する。
【実施例３】
【００４５】
外部メモリ３に動画像データおよび静止画データが存在する場合のスライドショーについて次に説明する。
【００４６】
操作者が、操作部４にてスライドショー操作を行うとシステム制御部３は、脱着式半導体メモリ、ディスクメモリ等の外部メモリ１の動画像データおよび（または）静止画データを読み出す制御を行う。システム制御部３は図６に示すように動画再生時間ｕがフェード動作を行う時間ｓより短い場合は、フェード操作を無効とする。動画再生時間ｕがフェード動作を行う時間ｓより長い場合は、フェードアウト操作を有効とし、システム制御部３は再生信号処理５に対してフェード制御を行わせるとともに、メモリ制御部２に外部メモリ１に記憶された動画再生を行わせる。また、静止画データを表示する場合は、特殊効果を施さない。
【００４７】
図４は実施例３の動作を示すフローチャート図である。
【００４８】
（ステップ４１）
表示する画像が動画である静止画であるか判別。
【００４９】
（ステップ４２）
動画像データの再生時間がフェード効果の所要時間以上あるか判別する。
【００５０】
（ステップ４３）
動画像データを再生する。
【００５１】
（ステップ４４）
フェードアウト処理を行う。
【００５２】
（ステップ４５）
動画像データの再生を停止する。
【００５３】
（ステップ４６）
次に表示する画像を選択する。
【００５４】
（ステップ４７）
静止画を一定時間表示する。
【００５５】
（ステップ４８）
動画像データを再生。
【００５６】
（ステップ４９）
表示した画像データがスライドショー表示する最後の画像であるか判別する。
【図面の簡単な説明】
【００５７】
【図１】本発明の実施の形態に係わる画像再生装置のブロック図である。
【図２】実施例１の動作を示すフローチャート図。
【図３】実施例２の動作を示すフローチャート図。
【図４】実施例３の動作を示すフローチャート図。
【図５】動画像の特殊効果表示方法を示す図である。
【図６】動画像および静止画の特殊効果表示方法を示す図である。
【符号の説明】
【００５８】
１  外部メモリ
２  外部メモリ制御部
３  システム制御部
４  操作部
５  再生信号処理部
６  ビューファインダー部
７  映像信号出力部
【図１】
2005167689.tif 000003
【図２】
2005167689.tif 000004
【図３】
2005167689.tif 000005
【図４】
2005167689.tif 000006
【図５】
2005167689.tif 000007
【図６】
2005167689.tif 000008